(57)【要約】【課題】より簡単な構成で、移動筒と遮光シートとの摺動抵抗を下げることができるレンズ鏡筒を提供する。【解決手段】移動筒３は、保持筒２の円筒内に少なくとも一部が配置される。また、移動筒３は、レンズ鏡筒１内のレンズの光軸方向に沿って移動可能な状態で保持筒２に保持される。保持筒２は、遮光シート４を被写体側で保持する。移動筒３は、遮光シート４に摺動可能な状態で挿入される。遮光シート４は、切断部４ａの１箇所で切断されている。【選択図】図１
2008191621.tif 000002
【特許請求の範囲】
【請求項１】
リング状の遮光シートの外周端を内周で保持する第１円筒体と、
前記第１円筒体の円筒内に少なくとも一部が配置されるとともに前記遮光シートに挿入され、レンズ鏡筒内のレンズの光軸方向に沿って移動可能な状態で前記第１円筒体に保持される第２円筒体と、を備え、
前記第２円筒体が前記第１円筒体に対して移動するのに伴って、前記遮光シートの内周端と前記第２円筒体の外周とは互いに擦れ合い、
前記遮光シートは、１箇所で切断されている、
レンズ鏡筒。
【発明の詳細な説明】
【技術分野】
【０００１】
本発明は、移動筒を備えるレンズ鏡筒に関する。特に、遮光シートを備えるレンズ鏡筒に関する。
【背景技術】
【０００２】
特許文献１は、遮光膜を備えるレンズ鏡筒を開示する。従来のレンズ鏡筒は、固定枠と、固定枠に対して光軸方向に進退される移動枠と、固定枠と移動枠との間に配設される２枚の遮光膜とを備える。２枚の遮光膜は、光軸方向に沿って重合される薄膜状部材である。遮光膜は、固定枠にその外周基端部が固定され、内周側先端を弾性変形させて移動枠の外周に挿入される。
【０００３】
そして、２枚のうち１枚の遮光膜は、その内周の法線方向に対して所定角度傾斜する切り欠き等を有し、移動枠の外周面に摺接して挿入される。切り欠き等が傾斜していることから、切り欠きへ進入する外光を効率よく遮光することができる。その結果、移動枠の摺動抵抗を増加させることなく、効果的な遮光を実現できる。
【特許文献１】特開平６−２７３６５１号公報
【発明の開示】
【発明が解決しようとする課題】
【０００４】
しかしながら、従来のレンズ鏡筒は、切り欠きを複数設ける必要があり、加工が面倒である。
【０００５】
そこで、本発明は、より簡単な構成で、移動筒と遮光シートとの摺動抵抗を下げることができるレンズ鏡筒を提供することを目的とする。
【課題を解決するための手段】
【０００６】
上記の問題点を解決するために、本発明のレンズ鏡筒は、リング状の遮光シートの外周端を内周で保持する第１円筒体と、第１円筒体の円筒内に少なくとも一部が配置されるとともに遮光シートに挿入され、レンズ鏡筒内のレンズの光軸方向に沿って移動可能な状態で第１円筒体に保持される第２円筒体と、を備える。ここで、第２円筒体が第１円筒体に対して移動するのに伴って、遮光シートの内周端と第２円筒体の外周とは互いに擦れ合う。そして、遮光シートは、１箇所で切断されている。
【０００７】
これにより、遮光シートを１箇所で切断するようにしたため、遮光シートの加工を容易にでき、切断箇所からの不要光の漏れも最小限に抑えることができ、しかも、遮光シートと第２円筒体との摺動抵抗も低減できる。
【発明の効果】
【０００８】
本発明によれば、より簡単な構成で、移動筒と遮光シートとの摺動抵抗を下げることができる。
【発明を実施するための最良の形態】
【０００９】
（実施の形態）
図１は、本発明の実施の形態に係るレンズ鏡筒１の断面図である。図２は、その要部拡大図である。レンズ鏡筒１は、保持筒２と移動筒３とを含む。移動筒３は、保持筒２の円筒内に少なくとも一部が配置される。また、移動筒３は、レンズ鏡筒１内のレンズの光軸方向に沿って移動可能な状態で保持筒２に保持される。
【００１０】
保持筒２は、遮光シート４を被写体側で保持する。保持筒２は、外筒２１と内筒２２とで構成される。遮光シート４は、外筒２１の被写体側先端に設けられた円環２１２と内筒２２の被写体側先端２２１との間に挟まれることにより、保持筒２に保持される。この状態で、遮光シート４の内周端は、内筒２２の内周面から突き出た状態となる。
【００１１】
移動筒３は、遮光シート４に摺動可能な状態で挿入される。これにより、移動筒３が保持筒２に対して移動するのに伴って、遮光シート４の内周端と移動筒３の外周とは互いに擦れ合う。
【００１２】
図３は、遮光シート４の正面図である。図４に示す通り、遮光シート４は、切断部４ａの１箇所で切断されている。これにより、遮光シート４が移動筒３と擦れ合うときの摺動抵抗を下げることができる。遮光シート４と移動筒３とが擦れ合うときに、遮光シート４は、切断箇所で容易に変形できるからである。そのため、遮光シート４と移動筒３との摺動抵抗に起因する異音の発生を防止できる。また、摺動抵抗を下げることができるので、移動筒３のモータによる駆動をスムーズにすることができる。仮に、遮光シート４の１箇所を切断しなかった場合、遮光シート４と移動筒３とが擦れ合うときに、遮光シート４は変形しにくく、摺動抵抗が大きくなる。そのため、移動筒３をモータで駆動した場合、異音が生じたり、ノッキング現象が生じたりする。
【００１３】
また、遮光シート４を完全に切断するようにしたため、従来のように幅方向の途中まで切り欠きを形成する場合に比べて、遮光シート４を容易に加工できる。
【００１４】
また、１箇所で遮光シート４を切断することとしたため、従来のように所定角度毎に複数個所で切り欠きを形成する場合に比べて、遮光シート４を容易に加工できる。また、切断箇所が１箇所なので、切断箇所からの不要光の漏れも最小限に抑えることができる。また、切断箇所が１箇所なので、切断後も環状の形状を維持できる。そのため、切断後の遮光シート４の取扱いや遮光シート４の保持筒２への取り付け作業が容易になる。これと比較して、仮に、複数個所で切断した場合、遮光シート４は、ばらならになり、環状の形状を維持できない。そのため切断後の取扱いや取り付けが困難になる。
【００１５】
また、切断箇所が１箇所であることから、切断箇所からの不要光の漏れを最小限に抑えることができるので、遮光シート４を１枚だけ用いた場合でも、十分に遮光効果を達成できる。もちろん、遮光シート４を複数用いて、互いに切断箇所をずらして、重合させるようにしてもよい。そのようにすることにより、１箇所の切断箇所からの不要光の漏れをより確実に防止できる。
【００１６】
図４は、保持筒２の分解斜視図である。外筒２１は、被写体側先端に円環２１２を備えている。つまり、円環２１２の内周径は、外筒２１の本体部２１１の内周径よりも小さい。そのため、遮光シート４を外筒２１の中に入れると、遮光シート４は、円環２１２で支えられることになる。その状態で、内筒２２を外筒２１に挿入する。内筒２２は、外筒２１に組みつけられた状態で、外筒に対して、光軸を中心とした回転方向には回転可能であるが、光軸方向には固定される。そして、外筒２１の円環２１２と内筒２２の被写体側先端２２１との間に、遮光シート４は挟み込まれる。これにより、遮光シート４は、保持筒２に保持される。
【００１７】
なお、保持筒２は、本発明の第１円筒体の一例である。また、移動筒３は、本発明の第２円筒体の一例である。
【００１８】
また、本実施の形態では、内筒２２と外筒２１との間で挟み込むことによって、遮光シート４を保持筒２に保持するとしたが、本発明はこれに限定されない。例えば、遮光シート４を保持筒２に接着剤で固定するようにしてもよいし、ネジ止めにより固定してもよい。
【００１９】
また、移動筒３は、一部が保持筒２の中に収納できるように構成してもよいし、全部が収納できるように構成してもよい。
【００２０】
また、遮光シート４は、紙材料で実現するようにしてもよいし、プラスチック材料で実現してもよい。要するに、不要光を遮断できる材料であり、かつ、変形可能な材料であればよい。
【産業上の利用可能性】
【００２１】
本発明は、移動筒を備えるレンズ鏡筒に適用可能である。より具体的には、カメラ用交換レンズやデジタルスチルカメラ、カメラ機能付き携帯電話端末、顕微鏡等の光学機器に適用可能である。
【図面の簡単な説明】
【００２２】
【図１】本発明の実施の形態１に係るレンズ鏡筒の断面図
【図２】図１における遮光シートの保持箇所の拡大図
【図３】遮光シートの平面図
【図４】保持筒の分解斜視図
【符号の説明】
【００２３】
１    レンズ鏡筒
２    保持筒
２１    外筒
２１１    本体部
２１２    円環
２２    内筒
２２１    被写体側先端
３    移動筒
４    遮光シート
４ａ    切断部
【図１】
2008191621.tif 000003
【図２】
2008191621.tif 000004
【図３】
2008191621.tif 000005
【図４】
2008191621.tif 000006